(57)【特許請求の範囲】
【請求項１】
記録媒体に記録された暗号化コンテンツのエクスポートを行う情報処理端末の情報処理方法であって、
前記記録媒体には、エクスポート用のコンテンツを前記情報処理端末が再生可能かどうかを示す第１フラグを含む前記暗号化コンテンツの利用条件を示す変換制御情報が蓄積されており、
前記情報処理端末に付与されたデバイス鍵を保持するデバイス鍵保持ステップと、
前記記録媒体から前記暗号化コンテンツおよび前記変換制御情報を読み出す読み出しステップと、
前記デバイス鍵保持ステップで保持した前記デバイス鍵を用いて、前記読み出しステップで読み出した前記暗号化コンテンツを復号する復号ステップと、
前記復号ステップで復号されたコンテンツを前記エクスポート用の形式に変換してエクスポート用のコンテンツを得る変換ステップと、
前記読み出しステップで読み出した前記変換制御情報に従って、前記変換ステップで変換した前記エクスポート用のコンテンツが前記情報処理端末で再生可能であることを示す再生権利情報を生成する生成ステップと、
前記第１フラグに従って前記再生権利情報の生成可否を制御する制御ステップと、を含む、
情報処理方法。
【請求項２】
前記情報処理方法は、さらに、
前記変換ステップで変換した前記エクスポート用のコンテンツのエクスポートを行う出力ステップを含む、
請求項１に記載の情報処理方法。
【請求項３】
前記第１フラグは、１ビットで表現され、Export_playableのデータ名で規定される、
請求項２に記載の情報処理方法。
【請求項４】
前記情報処理方法は、さらに、メッセージを生成するメッセージ生成ステップを含み、
前記制御ステップでは、前記第１フラグが０（ゼロ）を示す場合、前記生成ステップで前記再生権利情報が生成されないように、前記再生権利情報の生成を不可に制御し、
前記メッセージ生成ステップでは、前記第１フラグが０（ゼロ）を示す場合、前記情報処理端末の前記エクスポート用のコンテンツの再生が不可である旨を示すメッセージを生成する、
請求項３に記載の情報処理方法。
【請求項５】
前記制御ステップでは、前記第１フラグが１を示す場合、前記生成ステップで前記再生権利情報が生成されるように、前記再生権利情報の生成を可に制御し、
前記出力ステップでは、前記変換ステップで変換した前記エクスポート用のコンテンツと、前記生成ステップで生成された前記再生権利情報とを、モバイル機器または携行可能な記憶媒体にエクスポートを行う、
請求項３または４に記載の情報処理方法。
【請求項６】
前記変換制御情報には、さらに、サーバで前記第１フラグの値を確認するか否かを示す第２フラグを含み、
前記情報処理方法は、さらに、
前記第２フラグが前記サーバで前記第１フラグの値を確認する旨を示す場合、前記サーバに当該サーバが保持する前記第１フラグの値を確認する確認ステップと、
前記確認ステップで確認した前記サーバが保持する前記第１フラグの値と、前記読み出しステップで読み出した前記変換制御情報に含まれる前記第１フラグの値とが異なる場合には、前記読み出しステップで読み出した前記変換制御情報に含まれる前記第１フラグの値を前記サーバが保持する前記第１フラグの値に変更する変更ステップとを含む、
請求項１〜５のいずれか１項に記載の情報処理方法。
【請求項７】
前記記録媒体には、さらに、エクスポート用のコンテンツに用いることができる追加データ（Data for Export）が蓄積されており、
前記変換ステップでは、前記追加データを、前記エクスポート用のコンテンツに関する情報を記述するマニフェストファイルに変換する、
請求項１〜６のいずれか１項に記載の情報処理方法。
【請求項８】
前記情報処理方法は、さらに、
前記記録媒体に、エクスポート用のコンテンツに用いることができる追加データ（Data
for Export）が蓄積されていない場合、外部のネットワークに存在するサーバから前記
記録媒体用の前記追加データを取得する取得ステップを含み、
前記変換ステップでは、前記取得ステップで取得した前記追加データを、前記エクスポート用のコンテンツを解説するためのメタデータに変換する、
請求項１〜６のいずれか１項に記載の情報処理方法。
【請求項９】
前記記録媒体には、前記暗号化コンテンツがMPEG2-TSの形式で蓄積されており、
前記変換ステップでは、前記復号ステップで復号されたMPEG2-TSの形式のコンテンツを前記エクスポート用の形式としてMP4の形式に変換する、
請求項１〜８のいずれか１項に記載の情報処理方法。
【請求項１０】
記録媒体に記録された暗号化コンテンツのエクスポートを行う情報処理端末であって、
前記記録媒体には、エクスポート用のコンテンツを前記情報処理端末が再生可能かどうかを示す第１フラグを含む前記暗号化コンテンツの利用条件を示す変換制御情報が蓄積されており、
前記情報処理端末に付与されたデバイス鍵を保持するデバイス鍵保持部と、
前記記録媒体から前記暗号化コンテンツおよび前記変換制御情報を読み出す読み出し部と、
前記デバイス鍵保持部が保持する前記デバイス鍵を用いて、前記読み出し部で読み出した前記暗号化コンテンツを復号する復号部と、
前記復号部で復号されたコンテンツを前記エクスポート用の形式に変換してエクスポート用のコンテンツを得る変換部と、
前記読み出し部で読み出した前記変換制御情報に従って、前記変換部で変換した前記エクスポート用のコンテンツが前記情報処理端末で再生可能であることを示す再生権利情報を生成する生成部と、
前記第１フラグに従って前記再生権利情報の生成可否を制御する制御部と、を備える、
情報処理端末。
【発明の詳細な説明】
【技術分野】
【０００１】
本開示は、情報処理方法、情報処理装置および記録媒体に関する。
【背景技術】
【０００２】
DVDやBlu-ray（登録商標、以下同様）など従来の光ディスクで利用されているファイルフォーマットは、ISO/IEC 138181-1で規定されるMPEG2-TS(MPEG-2 Transport Stream)方式である。換言すると、従来の光ディスクには、映像ストリーム、音声ストリームおよび字幕ストリームをMPEG2-TS方式で多重化することによって構成されるファイル（データ）が記録されている。【０００３】
具体的には、MPEG2-TS方式を利用すると、映像ストリーム、音声ストリームおよび字幕ストリームなどは、それぞれ１８８Ｂｙｔｅｓの複数のＴＳパケットに分割された上で多重化されて光ディスクに記録される。このMPEG2-TS方式は、例えば放送または光ディスクなど前からシーケンシャルに読み込まれて処理されるデータを伝送または記録する媒体（メディア）に対して適している。そのため、比較的バッファ容量の少ない民生機でも、効率的にストリームを読み込んで復号して再生することができる。【０００４】
これに対して、昨今のネットワークでのコンテンツ配信において利用されつつあるファイルフォーマットは、ISO/IEC 14496-12で規定されるMP4方式である。MP4方式では、ＨＤＤ（Hard Disk Drive）やフラッシュメモリのようなランダムアクセス可能なメディアへの適用を前提に、極めて柔軟なデータ構造を採用している。MP4方式では、一般的な利用形態として、映像ストリーム、音声ストリームおよび字幕ストリームなどのストリームが、数秒程度のフラグメントという単位に分割された上で、これらのフラグメントが順次並べられることによって、一つのファイルが構成される。【０００５】
ところで、今後、４Ｋなどの高品質なコンテンツの普及が見込まれる。この高品質なコンテンツを配布するための媒体（メディア）として、ビット単価の問題から光ディスクを活用されることが多いと考えられている。一方、スマートフォンまたはタブレットなどのモバイル機器は、光ディスクを再生可能なドライブ（光ディスクドライブ）を持たないが、その携帯性の高さ、または大画面化および高精細化された表示画面の利用性の高さを活かして、ネットワークでのコンテンツ配信の受信および再生用の端末として利用されている。【０００６】
しかしながら、スマートフォンまたはタブレットなどのモバイル機器は、MP4方式に対応するものが主流であり、MPEG2-TS方式に対応したものは少ない。【０００７】
そのため、光ディスクのコンテンツをスマートフォンまたはタブレットなどのモバイル機器に利用するために、そのコンテンツのファイルフォーマットをモバイル機器で利用可能なフォーマットに変換する必要がある。例えば特許文献１には、光ディスクで配布されたコンテンツのファイルフォーマットを、MPEG2-TS方式からMP4方式に変換する技術が記載されている。特許文献１に開示される方法によって、MP4方式のファイル（MP4映像コンテンツ）が生成される。
【先行技術文献】
【特許文献】
【０００８】
【特許文献１】特開２０１２−１７５６０８号公報
【発明の概要】
【０００９】
上記目的を達成するために、本開示の一形態に係る情報処理方法は、記録媒体に記録された暗号化コンテンツのエクスポートを行う情報処理端末の情報処理方法であって、前記記録媒体には、エクスポート用のコンテンツを前記情報処理端末が再生可能かどうかを示す第１フラグを含む前記暗号化コンテンツの利用条件を示す変換制御情報が蓄積されており、前記情報処理端末に付与されたデバイス鍵を保持するデバイス鍵保持ステップと、前記記録媒体から前記暗号化コンテンツおよび前記変換制御情報を読み出す読み出しステップと、前記デバイス鍵保持ステップで保持した前記デバイス鍵を用いて、前記読み出しステップで読み出した前記暗号化コンテンツを復号する復号ステップと、前記復号ステップで復号されたコンテンツを前記エクスポート用の形式に変換してエクスポート用のコンテンツを得る変換ステップと、前記読み出しステップで読み出した前記変換制御情報に従って、前記変換ステップで変換した前記エクスポート用のコンテンツが前記情報処理端末で再生可能であることを示す再生権利情報を生成する生成ステップと、前記第１フラグに従って前記再生権利情報の生成可否を制御する制御ステップと、を含む。
【００１０】
なお、これらの全般的または具体的な態様は、システム、方法、集積回路、コンピュータプログラムまたはコンピュータで読み取り可能なＣＤ−ＲＯＭなどの記録媒体で実現されてもよく、システム、方法、集積回路、コンピュータプログラムおよび記録媒体の任意な組み合わせで実現されてもよい。
【図面の簡単な説明】
【００１１】
【図１】図１は、実施の形態１におけるシステムの全体像を示す図である。
【図２】図２は、実施の形態１における情報処理装置の詳細構成の一例を示す図である。
【図３】図３は、実施の形態１の実施例１におけるシステム構成例について示す図である。
【図４】図４は、実施の形態１の実施例２におけるシステム構成例について示す図である。
【図５】図５は、実施の形態１の実施例２における課題の一つを説明するための図である。
【図６】図６は、実施の形態２におけるシステムの全体像を示す図である。
【図７】図７は、実施の形態２における情報処理装置の詳細構成の一例を示す図である。
【図８】図８は、実施の形態２における情報処理装置の動作の一例を示すフローチャートである。
【図９】図９は、実施の形態２の実施例１におけるシステム構成例について示す図である。
【図１０】図１０は、光ディスクに記録されているTS映像コンテンツのデータ構造と変換処理後のMP4映像コンテンツのデータ構造との概要を示す図である。
【図１１】図１１は、Data for ExportファイルからManifestファイルを生成する処理の一例を説明するための図である。
【図１２】図１２は、光ディスクに格納されているMPEG2-TS方式のコンテンツの構造の一例を模式的に示す図である。
【図１３】図１３は、各Aligned Unitの復号方法を説明するための図である。
【図１４】図１４は、ユニット鍵Kuを取得する処理を説明するための図である。
【図１５】図１５は、MP4形式のコンテンツの構造の一例を模式的に示す図である。
【図１６】図１６は、実施の形態２における変換制御情報の詳細構成の一例を示す図である。
【図１７】図１７は、実施の形態２における変換制御情報の詳細構成の別の一例を示す図である。
【図１８】図１８は、実施の形態２におけるユーザガイド機能を強化したメッセージを作成するシステム構成例について示す図である。
【図１９】図１９は、SFF Export処理には、Export用データが必須であることを説明するための図である。
【発明を実施するための形態】
【００１２】
（本開示の基礎となった知見）
前出の特許文献１に開示される方法では、光ディスクに記録されたコンテンツのDRM（Digital Rights Management）を考慮していない。そのため、光ディスクで配布されたMPEG2-TS方式のファイルをMP4方式に変換した装置等は、変換後のMP4方式のファイルを再生できず、MP4方式のファイルへの変換処理が正しく行われたか否かを確認できない場合がある。
【００１３】
本開示は、上述の事情を鑑みてなされたもので、コンテンツのファイルフォーマットの変換が正しく行われたか否かを確認することができる情報処理方法、情報処理装置および記録媒体を提供する。
【００１４】
本開示の一態様に係る情報処理方法は、記録媒体に記録された暗号化コンテンツのエクスポートを行う情報処理端末の情報処理方法であって、前記記録媒体には、エクスポート用のコンテンツを前記情報処理端末が再生可能かどうかを示す第１フラグを含む前記暗号化コンテンツの利用条件を示す変換制御情報が蓄積されており、前記情報処理端末に付与されたデバイス鍵を保持するデバイス鍵保持ステップと、前記記録媒体から前記暗号化コンテンツおよび前記変換制御情報を読み出す読み出しステップと、前記デバイス鍵保持ステップで保持した前記デバイス鍵を用いて、前記読み出しステップで読み出した前記暗号化コンテンツを復号する復号ステップと、前記復号ステップで復号されたコンテンツを前記エクスポート用の形式に変換してエクスポート用のコンテンツを得る変換ステップと、前記読み出しステップで読み出した前記変換制御情報に従って、前記変換ステップで変換した前記エクスポート用のコンテンツが前記情報処理端末で再生可能であることを示す再生権利情報を生成する生成ステップと、前記第１フラグに従って前記再生権利情報の生成可否を制御する制御ステップと、を含む。
【００１５】
これによれば、コンテンツのファイルフォーマットの変換が正しく行われたか否かを確認することができる。
【００１６】
ここで、例えば、前記情報処理方法は、さらに、前記変換ステップで変換した前記エクスポート用のコンテンツのエクスポートを行う出力ステップを含むとしてもよい。
【００１７】
また、例えば、前記第１フラグは、１ビットで表現され、Export_playableのデータ名で規定されるとしてもよい。
【００１８】
また、例えば、前記情報処理方法は、さらに、メッセージを生成するメッセージ生成ステップを含み、前記制御ステップでは、前記第１フラグが０（ゼロ）を示す場合、前記生成ステップで前記再生権利情報が生成されないように、前記再生権利情報の生成を不可に制御し、前記メッセージ生成ステップでは、前記第１フラグが０（ゼロ）を示す場合、前記情報処理端末の前記エクスポート用のコンテンツの再生が不可である旨を示すメッセージを生成するとしてもよい。
【００１９】
ここで、例えば、前記制御ステップでは、前記第１フラグが１を示す場合、前記生成ステップで前記再生権利情報が生成されるように、前記再生権利情報の生成を可に制御し、前記出力ステップでは、前記変換ステップで変換した前記エクスポート用のコンテンツと、前記生成ステップで生成された前記再生権利情報とを、モバイル機器または携行可能な記憶媒体にエクスポートを行うとしてもよい。
【００２０】
また、例えば、前記変換制御情報には、さらに、サーバで前記第１フラグの値を確認するか否かを示す第２フラグを含み、前記情報処理方法は、さらに、前記第２フラグが前記サーバで前記第１フラグの値を確認する旨を示す場合、前記サーバに当該サーバが保持する前記第１フラグの値を確認する確認ステップと、前記確認ステップで確認した前記サーバが保持する前記第１フラグの値と、前記読み出しステップで読み出した前記変換制御情報に含まれる前記第１フラグの値とが異なる場合には、前記読み出しステップで読み出した前記変換制御情報に含まれる前記第１フラグの値を前記サーバが保持する前記第１フラグの値に変更する変更ステップとを含むとしてもよい。
【００２１】
ここで、例えば、前記記録媒体には、さらに、エクスポート用のコンテンツに用いることができる追加データ（Data for Export）が蓄積されており、前記変換ステップでは、前記追加データを、前記エクスポート用のコンテンツに関する情報を記述するマニフェストファイルに変換するとしてもよい。
【００２２】
また、例えば、前記情報処理方法は、さらに、前記記録媒体に、エクスポート用のコンテンツに用いることができる追加データ（Data for Export）が蓄積されていない場合、外部のネットワークに存在するサーバから前記記録媒体用の前記追加データを取得する取得ステップを含み、前記変換ステップでは、前記取得ステップで取得した前記追加データを、前記エクスポート用のコンテンツを解説するためのメタデータに変換するとしてもよい。
【００２３】
また、例えば、前記記録媒体には、前記暗号化コンテンツがMPEG2-TSの形式で蓄積されており、前記変換ステップでは、前記復号ステップで復号されたMPEG2-TSの形式のコンテンツを前記エクスポート用の形式としてMP4の形式に変換するとしてもよい。
【００２４】
また、本開示の一態様に係る情報処理装置は、記録媒体に記録された暗号化コンテンツのエクスポートを行う情報処理装置であって、前記記録媒体には、エクスポート用のコンテンツを前記情報処理端末が再生可能かどうかを示す第１フラグを含む前記暗号化コンテンツの利用条件を示す変換制御情報が蓄積されており、前記情報処理端末に付与されたデバイス鍵を保持するデバイス鍵保持部と、前記記録媒体から前記暗号化コンテンツおよび前記変換制御情報を読み出す読み出し部と、前記デバイス鍵保持部が保持する前記デバイス鍵を用いて、前記読み出し部で読み出した前記暗号化コンテンツを復号する復号部と、前記復号部で復号されたコンテンツを前記エクスポート用の形式に変換してエクスポート用のコンテンツを得る変換部と、前記読み出し部で読み出した前記変換制御情報に従って、前記変換部で変換した前記エクスポート用のコンテンツが前記情報処理端末で再生可能であることを示す再生権利情報を生成する生成部と、前記第１フラグに従って前記再生権利情報の生成可否を制御する制御部と、を備える。
【００２５】
また、本開示の一態様に係る記録媒体は、暗号化コンテンツが記録され、前記暗号化コンテンツの利用条件を示す変換制御情報が蓄積されている記録媒体であって、前記変換制御情報には、エクスポートを行う情報処理端末でエクスポート用のコンテンツが再生可能かどうかを示すフラグを含む。
【００２６】
なお、これらの全般的または具体的な態様は、システム、方法、集積回路、コンピュータプログラムまたはコンピュータで読み取り可能なＣＤ−ＲＯＭ等の記録媒体で実現されてもよく、システム、方法、集積回路、コンピュータプログラムまたは記録媒体の任意な組み合わせで実現されてもよい。
【００２７】
以下、本開示の一態様に係る情報処理方法等について、図面を参照しながら具体的に説明する。なお、以下で説明する実施の形態は、いずれも本開示の一具体例を示すものである。以下の実施の形態で示される数値、形状、材料、構成要素、構成要素の配置位置などは、一例であり、本開示を限定する主旨ではない。また、以下の実施の形態における構成要素のうち、最上位概念を示す独立請求項に記載されていない構成要素については、任意の構成要素として説明される。
【００２８】
（実施の形態）
［システム全体構成］
図１は、実施の形態１におけるシステムの全体像を示す図である。
【００２９】
図１に示すシステム１は、情報処理装置１０と、光ディスク２０と、映像機器３０と、記録媒体４０と、モバイル機器５０と、サーバ６０と、ネットワーク６５とを備える。
【００３０】
システム１は、光ディスク２０内のコンテンツを著作権者の許可を得た上で、情報処理装置１０や記録媒体４０、モバイル機器５０に複製し、情報処理装置１０やモバイル機器５０で当該コンテンツを光ディスク２０なしに視聴可能にするデジタルブリッジシステムの一例である。
【００３１】
情報処理装置１０は、光ディスク２０に記録された暗号化コンテンツのエクスポートを行う装置である。情報処理装置１０は、光ディスク２０に記録された暗号化コンテンツをエクスポート用の形式（ファイルフォーマット）に変換し、変換したコンテンツを記録媒体４０やモバイル機器５０にエクスポートする。詳細は後述するためここでの説明を省略する。
【００３２】
光ディスク２０は、例えば、Blu-rayディスクやDVDディスクなどの記録媒体であり、例えばMPEG2-TS方式のコンテンツ（TS映像コンテンツ）が暗号化されて記録されている。
【００３３】
映像機器３０は、例えばテレビであり、情報処理装置１０が再生するコンテンツを表示する。
【００３４】
記録媒体４０は、例えばUSBメモリやSDメモリーカードなどの携行可能（携帯して持ち運び可能）な記憶媒体（モバイルメディア）である。本実施の形態では、記録媒体４０には、情報処理装置１０からエクスポートされたコンテンツが記録される。
【００３５】
モバイル機器５０は、例えばスマートフォンまたはタブレットなど、大画面化および高精細化された表示画面を有する携帯可能な情報端末である。モバイル機器５０は、情報処理装置１０とUSBケーブル等の有線で接続されても、無線で接続されてもよい。本実施の形態では、モバイル機器５０は、内蔵メモリに情報処理装置１０からファイルフォーマットが変換されたコンテンツがエクスポートされることで、当該コンテンツを光ディスク２０なしに視聴可能にする。また、モバイル機器５０は、情報処理装置１０からエクスポートされたコンテンツを記録する記録媒体４０をスロット等に挿入することで当該コンテンツを光ディスク２０なしに視聴可能にするとしてもよい。
【００３６】
ネットワーク６５は、インターネットに代表されるネットワークである。
【００３７】
サーバ６０は、DRM（Digital Rights Management）を行うための管理サーバまたは権利処理サーバであり、例えば光ディスク２０のコンテンツのコピー許諾条件や再生権利情報などを管理している。本実施の形態では、情報処理装置１０はネットワーク６５を介してサーバ６０と接続することができる。
【００３８】
［情報処理装置］
図２は、実施の形態１における情報処理装置の詳細構成の一例を示す図である。
【００３９】
図２に示す情報処理装置１０は、変換部１０１と、蓄積容量部１０２と、デバイス鍵保持部１０３と、読み出し部１０４と、復号部１０５と、制御部１０６と、出力部１０７とを備える。
【００４０】
蓄積容量部１０２は、例えば内蔵ＨＤＤ（Hard Disk Drive）または外付けＨＤＤなど、情報処理装置１０の内部に設けられたまたは着脱可能で携帯可能な記憶装置である。
【００４１】
デバイス鍵保持部１０３は、情報処理装置１０に付与されたデバイス鍵を保持する。
【００４２】
読み出し部１０４は、光ディスク２０から暗号化コンテンツを読み出す。
【００４３】
復号部１０５は、デバイス鍵保持部１０３で保持するデバイス鍵を用いて、読み出し部１０４で読み出した暗号化コンテンツを復号する。
【００４４】
変換部１０１は、復号部１０５で復号されたコンテンツをエクスポート用の形式に変換してエクスポート用のコンテンツを得る。本実施の形態では、光ディスク２０に記録された暗号化コンテンツは、MPEG2-TS方式のファイルであり、エクスポート用のコンテンツは、MP4方式のファイルであるとして以下説明する。
【００４５】
制御部１０６は、情報処理装置１０をBlu-rayコピー管理サーバとして機能するサーバ６０ａにアクセスさせる制御を行ったり、情報処理装置１０に光ディスク２０ａ内のコンテンツのコピー許諾条件を確認させる制御を行ったりする。
【００４６】
出力部１０７は、変換部１０１で変換したエクスポート用コンテンツの出力（エクスポート）を行う。
【００４７】
以下、実施例として具体的なシステム構成等について説明する。
【００４８】
（実施例１）
図３は、実施の形態１の実施例１におけるシステム構成例について示す図である。図１と同様の要素には同一の符号を付しており、詳細な説明は省略する。
【００４９】
図３に示すシステム１ａは、情報処理装置１０ａ、光ディスク２０ａ、映像機器３０、記録媒体４０ａ、モバイル機器５０ａおよびサーバ６０ａを備える。
【００５０】
本実施例では、図３に示すように、情報処理装置１０ａはBlu-ray Deviceなどの光ディスク再生装置であり、光ディスク２０ａはBlu-ray Disc等であり、映像機器３０はテレビであるとして説明する。また、本実施例では、図３に示すように、記録媒体４０ａはMobile Mediaであり、モバイル機器５０ａはMobile Deviceあり、サーバ６０ａはBlu-rayコピー管理サーバであるとして説明する。
【００５１】
図３には、光ディスク２０ａ内のTS映像コンテンツ２００ａを、MP4映像コンテンツに変換し、モバイル機器５０ａで再生させるシステムが示されている。
【００５２】
本実施例では、Blu-ray Disc等の光ディスク２０ａで配布されたMPEG2-TS方式の大容量コンテンツを、スマートフォンやタブレット等のモバイル機器５０ａで利用する。そのため、情報処理装置１０ａは、まず、何らかの方法で著作権者の許諾を得た上で、Blu-ray Disc等の光ディスク２０ａ内のTS映像コンテンツ２００ａをMP4映像コンテンツ２０１ａに変換する。次に、情報処理装置１０ａは、変換したMP4映像コンテンツ２０１ａを、例えばモバイル機器５０ａに転送する。これにより、モバイル機器５０ａは、高品質映像であるMP4映像コンテンツ２０１ａを利用することができる。
【００５３】
より具体的には、光ディスク再生装置側である情報処理装置１０ａは、光ディスク２０ａのMPEG2-TS方式で多重化されたコンテンツを一度、映像ストリーム、音声ストリームおよび字幕ストリーム（平文TS映像コンテンツ）に戻した上で、MP4方式に変換することでMP4映像コンテンツ２０１ａを得る。
【００５４】
ここで、Blu-ray Disc等の光ディスク内に格納された商用映像コンテンツ（TS映像コンテンツ）は、通常AACS等の暗号技術（メディアバインド方式）により暗号化されており、暗号化TS映像コンテンツを再生するために必要な鍵（以下ディスク鍵）は光ディスク上に暗号化された状態で記録されている。
【００５５】
そのため、光ディスク再生装置である情報処理装置１０ａは、暗号化された状態のディスク鍵を、自身（情報処理装置１０ａ）が保有する鍵（デバイス鍵）で復号し、得られたディスク鍵を用いて暗号化TS映像コンテンツ（暗号化されたTS映像コンテンツ２００ａ）を復号することで平文TS映像コンテンツ（TS映像コンテンツ２００ａ）を得る。そして、情報処理装置１０ａは、復号により得た平文TS映像コンテンツ（TS映像コンテンツ２００ａ）をAVデコーダで再生し、HDMI（登録商標）等の接続ケーブルを経由してTV等の映像機器３０に送ることで映像再生を実現する。
【００５６】
なお、光ディスク内の暗号化TS映像コンテンツを光ディスク再生装置内で、再生する場合の復号処理やコンテンツの扱い等のルールは、光ディスクの著作権保護方式を決めているAACS等の著作権保護技術管理団体により規定されている。
【００５７】
また、Blu-ray Disc等の光ディスク内の暗号化TS映像コンテンツをモバイル機器に転送して再生させる場合も、転送先のファイルフォーマット、DRM技術や転送許可のルール等は、同様に著作権保護技術管理団体により規定されている。ここでのDRM技術は、Device Bind方式、Media Bind方式（例えば、CPRM、AACS、NSM等）、Domain Bind方式（例えば、Fairplay、Playready、Widevine等）である。従って、光ディスク再生装置である情報処理装置１０ａは、Blu-ray Disc等の光ディスク２０ａ内のTS映像コンテンツ２００ａを変換したMP4映像コンテンツ２０１ａを、AACS等の著作権保護技術管理団体が認定DRM技術として認定した著作権保護方式に対応している機器・記録媒体に転送する必要がある。
【００５８】
例えば、情報処理装置１０ａは、変換したMP4映像コンテンツ２０１ａを、Device Bind方式用の著作権保護方式で再暗号化した上でHDD等の蓄積容量部１０２に格納する。
【００５９】
また、例えば、情報処理装置１０ａは、変換したMP4映像コンテンツ２０１ａを、Media Bind方式用の著作権保護方式で再暗号化した上で記録媒体４０ａに格納する。なお、この場合、情報処理装置１０ａは、Blu-rayコピー管理サーバとして機能するサーバ６０ａにアクセスし、光ディスク２０ａ内のTS映像コンテンツ２００ａのコピー許諾条件を確認している。情報処理装置１０ａは、コピー許諾条件において、当該Media Bind方式でのコピーが許可されていない場合、TS−MP4変換処理を行なわないので、上記の転送処理も行わない。一方、情報処理装置１０ａは、コピー許諾条件において、当該Media Bind方式でのコピーが許可されている場合、適切な課金処理を行った上で、TS−MP4変換処理を実施し、上記の転送処理を行う。
【００６０】
また、例えば、情報処理装置１０ａは、変換したMP4映像コンテンツ２０１ａを、情報処理装置１０ａに接続されたモバイル機器５０ａにDomain Bind方式で記録する場合、Domain Bind方式用の著作権保護方式で再暗号化した上でモバイル機器５０ａに格納する。なお、この場合、情報処理装置１０ａは、サーバ６０ａにアクセスし、光ディスク２０ａ内のTS映像コンテンツ２００ａのコピー許諾条件を確認している。情報処理装置１０ａは、コピー許諾条件において、当該Domain Bind方式が許可されていない場合、TS−MP4変換処理を行なわないので、上記の転送処理も行わない。一方、情報処理装置１０ａは、コピー許諾条件において、当該Domain Bind方式が許可されている場合、適切な課金処理を行った上で、TS−MP4変換処理を実施し、上記の転送処理を行う。
【００６１】
このように、Device Bind方式、Media bind方式およびDomain Bind方式のいずれの場合も、一旦許諾を得ることができれば、MP4映像コンテンツを生成して該当機器に格納することで、該当機器での再生は可能となる。
【００６２】
以上、実施例１によれば、コピー許諾条件で許可されている機器・記憶媒体と情報処理装置１０ａとを接続し、光ディスク２０ａ内のTS映像コンテンツ２００ａの変換処理を行えば、情報処理装置１０ａまたはモバイル機器５０ａで光ディスク２０ａなしに視聴可能にすることができる。つまり、TS映像コンテンツ２００ａの変換処理を行うことができれば、光ディスク２０ａなしに視聴可能になるので、図３に示すシステム１ａを利用するユーザは、MP4映像コンテンツ２０１ａを光ディスク２０ａなしに視聴可能か否かを容易に把握できる。
【００６３】
（実施例２）
図４は、実施の形態１の実施例２におけるシステム構成例について示す図である。図１と同様の要素には同一の符号を付しており、詳細な説明は省略する。
【００６４】
図４に示すシステム１ｂは、情報処理装置１０ｂ、光ディスク２０ｂ、映像機器３０、記録媒体４０ｂ、モバイル機器５０ｂおよび権利処理サーバ６０ｂを備える。
【００６５】
本実施例では、図４に示すように、情報処理装置１０ｂはBlu-ray Deviceなどの光ディスク再生装置であり、光ディスク２０ｂはBlu-ray Disc等であり、映像機器３０はテレビであるとして説明する。また、本実施例では、図４に示すように、権利処理サーバ６０ｂはデジタルコンテンツ小売サイトなどで運用されており、再生権利情報を発行するとして説明する。
【００６６】
図４には、光ディスク２０ｂ内のTS映像コンテンツ２００ｂを、MP4映像コンテンツ２０２ｂに変換し、モバイル機器５０ｂで再生させるシステム１ｂの例が示されている。また、図４には、モバイル機器５０ｂでのMP4映像コンテンツ２０２ｂの再生許諾を、デジタルコンテンツ小売サイトの権利処理サーバ６０ｂで動的に行う場合の例が示されている。
【００６７】
図３を用いて説明した実施例１では、変換先モバイル機器のDRM技術が固定化されてしまう、複雑な課金処理等を処理するための処理部を光ディスク再生装置で実装する必要がある、および、著作権者の価格改定等のビジネス要望に機動的に対応できない等の課題がある。
【００６８】
このため、図４に示すシステム１ｂでは、共通暗号方式（Common Encryption）を導入し、コンテンツを再生するための再生権利情報の獲得を、MP4ファイルへの変換処理と独立にしている。また、インターネットアクセスが容易なモバイル機器５０ｂ側で、課金処理等を行わせる「Late binding方式」を採用している。
【００６９】
具体的には、情報処理装置１０ｂは、Blu-ray Disc等の光ディスク２０ｂ内の暗号化TS映像コンテンツ（暗号化されているTS映像コンテンツ２００ｂ）をモバイル機器５０ｂに転送する場合、実施例１と同様に、平文TS映像コンテンツ（TS映像コンテンツ２００ｂ）を生成した後、変換部１０１でMP4映像コンテンツ２０２ｂに変換する。
【００７０】
次に、情報処理装置１０ｂは、特定のモバイル機器や再生ソフト、著作権保護技術に依存しない共通暗号方式（Common Encryption）でMP4映像コンテンツ２０２ｂを再暗号化し、蓄積容量部１０２やSDカード等の記録媒体４０、モバイル機器５０ｂ内の内蔵メモリに格納する。なお、情報処理装置１０ｂは、変換したMP4映像コンテンツ２０２ｂを暗号化することで暗号化MP4映像コンテンツを生成するが、暗号化MP4映像コンテンツを生成の際に、実施例１で説明したコピー管理サーバ等へのアクセスも課金処理もいらない。
【００７１】
次に、モバイル機器５０ｂは、ネットワーク６５を経由して、著作権者が指定するデジタルコンテンツ小売サイト内の権利処理サーバ６０ｂから再生権利情報を有償若しくは無償で取得する。モバイル機器５０ｂの内蔵メモリまたは、モバイル機器５０ｂがアクセス可能な記録媒体４０ｂ内に転送された暗号化されたMP4映像コンテンツ２０２ｂは、このままでは、再生することができないからである。
【００７２】
より具体的には、まず、モバイル機器５０ｂは、MP4映像コンテンツ２０２ｂの再生許諾を示す再生権利情報であって暗号を解読するための鍵等が格納された再生権利情報を取得する。モバイル機器５０ｂは、再生権利情報を取得する際、権利処理サーバ６０ｂとの間でSSl等の認証プロトコルを用いた認証と秘密通信とを行う。これによって、権利処理サーバ６０ｂはモバイル機器５０ｂを確認した上で、モバイル機器５０ｂでしか再生できないようにモバイル機器のIDを書き込むなどの方法で再生権利情報を処理した上で、モバイル機器に送付することができる。モバイル機器５０ｂは、この再生権利情報を獲得することにより、Media Bind方式、Domain Bind方式等も含めてDRMでの処理方式が決定し、再生可能になる。
【００７３】
次に、モバイル機器５０ｂは、取得した再生権利情報を用いて、暗号化されたMP4映像コンテンツ２０２ｂを再生する。再生権利情報には、上述したように、暗号化されたMP4映像コンテンツ２０２ｂを再生するために必要な鍵の情報や利用条件などが記載されている。
【００７４】
このように、本実施例によれば、複雑な再生権利情報の取得や課金処理を、光ディスク再生装置である情報処理装置１０ｂではなく、モバイル機器５０ｂで行うことができる。したがって、著作権者にとっては、価格改定等の処理は、自社のコンテンツを扱うデジタルコンテンツ小売サイトに依頼すればよいので、自社のEST（Electronic Sell Through）と同様に行えるなど便利である。
【００７５】
なお、本実施例の方式には、いくつか課題があるので以下説明する。
【００７６】
図５は、実施の形態１の実施例２における課題の一つを説明するための図である。図４と同様の要素には同一の符号を付しており、詳細な説明は省略する。
【００７７】
以下４つの課題を説明する。
【００７８】
１）光ディスク再生装置である情報処理装置１０ｂでファイルフォーマットを変換して、内蔵HDDや外付けHDDなどの蓄積容量部１０２に暗号化MP4映像コンテンツを格納した場合、情報処理装置１０ｂは暗号化MP4映像コンテンツ再生することができない。このため、ユーザはファイルフォーマットの変換処理が上手く行ったかどうかの判定ができないという課題がある。
【００７９】
２）光ディスク再生装置である情報処理装置１０ｂが蓄積容量部１０２に格納した暗号化MP4映像コンテンツを再生したい場合には、著作権者が指定するデジタルコンテンツ小売サイトに行って、再生権利情報を取得する必要がある。このため、情報処理装置１０ｂは、やはり複雑な課金処理等を行うための処理部を実装する必要が生じる場合がある。
【００８０】
３）さらに、情報処理装置１０ｂのユーザは、どのモバイル機器やDRM技術で再生できるかが分からない。光ディスク２０ａに同封されている説明の紙等で、ユーザがどのデジタルコンテンツ小売サイトに行けばよいのか、または、どのような機器をサポートしているのか等の情報は示される場合もあるが、ユーザが情報処理装置１０ｂを操作している時には当該情報はわからないと考える。
【００８１】
４）また、デジタルコンテンツ小売サイトは、例えば図５に示されるように複数存在することが考えられる。そして、著作権者は、どのデジタルコンテンツ小売サイトを利用するかを任意に決めることができると考えられる。つまり、著作権者の意向により、複数のデジタルコンテンツ小売サイトすべてを利用可能とする場合もあれば、１つのデジタルコンテンツ小売サイトしか利用できない場合もあり、ユーザは混乱するものと考えられる。更に、同一の著作権者であっても、コンテンツ毎に自由に設定できる。そのため、あるコンテンツは、デジタルコンテンツ小売サイト６０ｃのみ、別のコンテンツはデジタルコンテンツ小売サイト６０ｃだけでなくデジタルコンテンツ小売サイト６０ｄや６０ｅでも買える等の設定が可能であり、非常にユーザに解りにくいことが想定される。
【００８２】
（実施の形態２）
実施の形態２では、実施の形態１で説明した実施例１のシステム１ａのメリットであるユーザの解りやすさと、実施例２のシステム１ｂのメリットである実現性の容易さを兼ね備えたハイブリッドなシステムについて説明する。
【００８３】
［システムの全体構成］
図６は、実施の形態２におけるシステムの全体像を示す図である。図１と同様の要素には同一の符号を付しており、詳細な説明は省略する。
【００８４】
図６に示すシステム２は、情報処理装置１１と、光ディスク２１と、映像機器３０と、記録媒体４０と、モバイル機器５０と、サーバ６１と、ネットワーク６５とを備える。
【００８５】
システム２は、実施の形態１のシステム１と同様に、光ディスク２１内のコンテンツを著作権者の許可を得た上で、情報処理装置１１や記録媒体４０、モバイル機器５０に複製し、情報処理装置１１やモバイル機器５０で当該コンテンツを光ディスク２１なしに視聴可能にするデジタルブリッジシステムである。さらに、システム２では、ファイルフォーマット（形式）を変換する際に、光ディスク２１内の変換制御情報またはサーバ６１の変換制御情報を確認させる。これにより、著作権者の意図に応じて、ファイルフォーマットの変換が正しく行われたか否か、または、ファイルフォーマットの変換を行うか否かをユーザに確認させることができる。
【００８６】
情報処理装置１１は、実施の形態１の情報処理装置１０と同様に、光ディスク２１に記録された暗号化コンテンツのエクスポートを行う装置である。情報処理装置１１は、光ディスク２１に記録された暗号化コンテンツをエクスポート用の形式（ファイルフォーマット）に変換し、変換したコンテンツを記録媒体４０やモバイル機器５０にエクスポートする。詳細は後述するためここでの説明を省略する。
【００８７】
光ディスク２１は、例えば、Blu-rayディスクやDVDディスクなどであり、暗号化コンテンツが記録され、暗号化コンテンツの利用条件を示す変換制御情報が蓄積されている記録媒体である。本実施の形態では、この変換制御情報には、エクスポート用のコンテンツを情報処理装置１１が再生可能かどうかを示す第１フラグが含まれている。ここで、第１フラグは、１ビットで表現され、Export_playableのデータ名で規定される。
【００８８】
なお、変換制御情報には、さらに、サーバ６１で第１フラグの値を確認するか否かを示す第２フラグを含むとしてもよい。例えば第２フラグは、１ビットで表現され、Check SFF permission serverのデータ名で規定される。
【００８９】
また、光ディスク２１には、エクスポート用コンテンツに用いることができる追加データ（Data for Export）が蓄積されている場合もある。
【００９０】
サーバ６１は、DRM（Digital Rights Management）を行うための管理サーバであり、例えば光ディスク２１のコンテンツの利用条件などの再生権利情報などを管理している。本実施の形態では、サーバ６１は、ネットワーク６５を介して情報処理装置１１と接続される。また、サーバ６１は、エクスポート用のコンテンツを情報処理装置１１が再生可能かどうかを示す第１フラグを含む暗号化コンテンツの利用条件を示す変換制御情報を管理する。なお、後述するが、サーバ６１が管理する変換制御情報と、光ディスク２１に蓄積される変換制御情報とが異なる場合には、情報処理装置１１は、サーバ６１が管理する変換制御情報を優先して用いるとしてもよい。また、光ディスク２１の変換制御情報に、さらに、第２フラグが含まれる場合には、情報処理装置１１は、サーバ６１が管理する変換制御情報を用いるとしてもよい。
【００９１】
［情報処理装置］
図７は、実施の形態２における情報処理装置の詳細構成の一例を示す図である。図２と同様の要素には同一の符号を付しており、詳細な説明は省略する。
【００９２】
図７に示す情報処理装置１１は、変換部１０１と、デバイス鍵保持部１０３と、読み出し部１０４と、復号部１０５と、蓄積容量部１１２と、制御部１１６と、出力部１１７と、生成部１１８と、メッセージ生成部１１９とを備える。なお、出力部１１７と、生成部１１８と、メッセージ生成部１１９とは必須でなく、これらの全部を備えていないとしてもよいし、一部を備えるとしてもよい。
【００９３】
蓄積容量部１１２は、例えば内蔵ＨＤＤ（Hard Disk Drive）または外付けＨＤＤなど、情報処理装置１０の内部に設けられたまたは着脱可能で携行可能な記憶装置である。
【００９４】
デバイス鍵保持部１０３は、情報処理装置１１に付与されたデバイス鍵を保持する。
【００９５】
読み出し部１１４は、光ディスク２１から暗号化コンテンツおよび変換制御情報を読み出す。
【００９６】
復号部１０５は、デバイス鍵保持部１０３で保持するデバイス鍵を用いて、読み出し部１０４で読み出した暗号化コンテンツを復号する。
【００９７】
変換部１０１は、復号部１０５で復号されたコンテンツをエクスポート用の形式に変換してエクスポート用のコンテンツを得る。本実施の形態では、光ディスク２０には、暗号化コンテンツがMPEG2-TSの形式で蓄積されており、変換部１０１は、MPEG2-TSの形式のコンテンツをエクスポート用の形式としてMP4の形式に変換するとして以下説明する。
【００９８】
制御部１１６は、第１フラグに従って再生権利情報の生成可否を制御する。例えば、制御部１１６は、第１フラグが０（ゼロ）を示す場合、生成部１１８で再生権利情報が生成されないように、再生権利情報の生成を不可に制御する。一方、制御部１１６は、第１フラグが１を示す場合、生成部１１８で再生権利情報が生成されるように、再生権利情報の生成を可に制御する。
【００９９】
なお、光ディスク２１の変換制御情報に、第２フラグが含まれる場合、制御部１１６は、次のように動作するとしてもよい。すなわち、制御部１１６は、第２フラグがサーバ６１で第１フラグの値を確認する旨を示す場合、サーバ６１に当該サーバ６１が保持する第１フラグの値を確認する制御を行えばよい。そして、制御部１１６は、確認したサーバ６１が保持する第１フラグの値と、読み出し部１１４で読み出した変換制御情報に含まれる第１フラグの値とが異なる場合には、読み出し部１１４で読み出した変換制御情報に含まれる第１フラグの値をサーバ６１が保持する第１フラグの値に変更すればよい。
【０１００】
また、MPEG2-TS方式のファイルに含まれるナビゲーション情報は、MP4形式に変換するときに削除される。そのため、詳細は後述するが、変換部１０１は、MPEG2-TS方式のファイルに含まれるナビゲーション情報ではなく、追加データ（Data for Export）を用いて、エクスポート用のコンテンツに関する情報を記述するマニフェストファイルに変換する。
【０１０１】
生成部１１８は、読み出し部１１４で読み出した変換制御情報に従って、変換部１０１で変換したエクスポート用コンテンツが情報処理装置１１で再生可能であることを示す再生権利情報を生成する。本実施の形態では、生成部１１８は、制御部１１６により再生権利情報の生成が不可と制御されている場合、再生権利情報を生成しない。反対に、生成部１１８は、制御部１１６により再生権利情報の生成が可と制御されている場合、再生権利情報を生成する。
【０１０２】
メッセージ生成部１１９は、メッセージを生成する。例えば、メッセージ生成部１１９は、第１フラグが０（ゼロ）を示す場合、情報処理装置１１のエクスポート用のコンテンツの再生が不可である旨を示すメッセージを生成する。
【０１０３】
出力部１１７は、変換部１０１で変換したエクスポート用コンテンツのエクスポートを行う。本実施の形態では、出力部１１７は、変換部１０１で変換したエクスポート用コンテンツと、生成部１１８で生成された再生権利情報とを、モバイル機器５０または携行可能な記録媒体４０にエクスポートを行う。また、出力部１１７は、メッセージ生成部１１９でメッセージが生成された場合には、映像機器３０にそのメッセージを出力する。
【０１０４】
［情報処理装置の動作］
次に、以上のように構成された情報処理装置１１の動作について説明する。
【０１０５】
図８は、実施の形態２における情報処理装置の動作の一例を示すフローチャートである。
【０１０６】
まず、情報処理装置１１は、自身（情報処理装置１１）に付与されたデバイス鍵を保持する（Ｓ１０）。
【０１０７】
次に、情報処理装置１１は、光ディスク２１から暗号化コンテンツと変換制御情報とを読み出す（Ｓ１１）。
【０１０８】
次に、情報処理装置１１は、Ｓ１０で保持したデバイス鍵を用いて、Ｓ１１で読み出した暗号化コンテンツを復号する（Ｓ１２）。デバイス鍵を用いて暗号化コンテンツを復号する方法の詳細は後述するため、ここでの説明は省略する。
【０１０９】
次に、情報処理装置１１は、Ｓ１２で復号されたコンテンツをエクスポート用の形式に変換し（Ｓ１３）、エクスポート用のコンテンツを得る。本実施の形態では、光ディスク２０には、暗号化コンテンツがMPEG2-TSの形式で蓄積されており、変換部１０１は、MPEG2-TSの形式のコンテンツをエクスポート用の形式としてMP4の形式に変換する。
【０１１０】
次に、情報処理装置１１は、第１フラグの値を確認し（Ｓ１４）、第１フラグの値が１なら、Ｓ１１で読み出した変換制御情報に従って、Ｓ１３で変換したエクスポート用コンテンツが情報処理装置１１で再生可能であることを示す再生権利情報を生成する（Ｓ１５）。なお、情報処理装置１１は、第１フラグの値が０なら、処理を終了する。
【０１１１】
なお、Ｓ１４において、第１フラグの値が０の場合、情報処理装置１１のエクスポート用のコンテンツの再生が不可である旨を示すメッセージを生成し、ユーザの視聴する映像機器３０に送信するとしてもよい。
【０１１２】
また、Ｓ１４の処理は、Ｓ１２の前に行われるとしてもよい。この場合、第１フラグの値が１なら、Ｓ１２にそのまま進み、Ｓ１５まで処理を行えばよい。一方、第１フラグの値が０なら、Ｓ１２の処理も行わずに処理を終了するとし、情報処理装置１１のエクスポート用のコンテンツの再生が不可である旨を示すメッセージを生成して送信してよい。さらに、第１フラグの値が０の場合、Ｓ１２の処理を行うか否かを確認するメッセージを生成してユーザに送信するとしてもよい。
【０１１３】
また、Ｓ１１において読み出した光ディスク２１の変換制御情報に、サーバ６１で第１フラグの値を確認する旨を示す第２フラグが含まれる場合、情報処理装置１１は、サーバ６１に当該サーバ６１が保持する第１フラグの値を確認すればよい。そして、情報処理装置１１は、確認したサーバ６１が保持する第１フラグの値と、Ｓ１１で読み出した変換制御情報に含まれる第１フラグの値とが異なる場合には、Ｓ１１で読み出した変換制御情報に含まれる第１フラグの値をサーバ６１が保持する第１フラグの値に変更し、Ｓ１２以降の処理を行えばよい。
【０１１４】
以下、以上のように構成されるシステム２の具体例を実施例１として説明する。
【０１１５】
（実施例１）
図９は、実施の形態２の実施例１におけるシステム構成例について示す図である。図１および図６と同様の要素には同一の符号を付しており、詳細な説明は省略する。
【０１１６】
図９に示すシステム２ａは、情報処理装置１１ａ、光ディスク２１、映像機器３０、記録媒体４０ａ、およびモバイル機器５０ａを備える。
【０１１７】
本実施例では、図９に示すように、情報処理装置１１ａはBlu-ray Deviceなどの光ディスク再生装置であり、光ディスク２１は、例えばUHD Blu-ray Discである光ディスク２１ａや例えばBlu-ray Discである光ディスク２１ｂであり、映像機器３０はテレビであるとして説明する。また、本実施例では、図９に示すように、サーバ６１ａはBlu-ray MP4変換管理サーバであるとして説明する。なお、本実施例ではUHD（Ultra High Definition）と4K（4K解像度または4K2K）とは高解像度映像という観点で同様の意味であるとしてUHDの表記を用いて説明する。同様に、図９中のFHD（Full High Definition）も2K（2K解像度または1080）と同様の高解像度映像という意味であるとしてFHDの表記を用いて説明する。
【０１１８】
図９には、光ディスク２１ａ内の映像コンテンツであるTSストリーム２１１ａまたは光ディスク２１ｂ内の映像コンテンツであるTSストリーム２１１ｂを、MP4映像コンテンツであるUHD MP4映像コンテンツ２１１ｃまたはFHD MP4映像コンテンツ２１１ｄに変換し、モバイル機器５０ａで再生させるシステムが示されている。また、図９に示すように、光ディスク２１ａには、変換制御情報２１０ａが蓄積されており、光ディスク２１ｂには、変換制御情報２１０ｂが蓄積されている。
【０１１９】
本実施例では、光ディスク２１内に蓄積される変換制御情報と、ネットワーク６５上のサーバ６１に格納された該当コンテンツの変換制御情報とを確認することにより、著作権者の意図に応じて、TSストリームをMP4映像コンテンツに変換する処理の内容を変える。
【０１２０】
具体的には、変換制御情報に含まれる第１フラグが、光ディスク再生装置である情報処理装置１１ａでの再生許可を示している場合は、変換処理したMP4映像コンテンツを情報処理装置１１ａ内で再生可能であることを示す再生権利情報１１８１を生成する。これにより、変換したMP4映像コンテンツは、情報処理装置１１ａで再生できる。したがって、著作権者が許可したモバイル機器５０ａ等のDRM技術の機器を持たないユーザでも、変換処理したMP4映像コンテンツを情報処理装置１１ａで再生してみることなどにより変換処理が正しく行われたことを確認することができる。
【０１２１】
なお、変換制御情報に含まれる第１フラグが再生禁止を示している場合、情報処理装置１１ａは、例えばメッセージ１１９０で示されるように、変換処理したMP4映像コンテンツ（エクスポート用のコンテンツ）の再生が不可であり、変換処理を行うか否かを確認するメッセージを作成してもよい。このようにして、変換制御情報に含まれる第１フラグが再生禁止を示している場合でも適切なユーザガイダンスのメッセージを表示することが可能になる。つまり、ユーザに対し、光ディスクのコンテンツをエクスポート用の形式（MP4方式）に変換しても、情報処理装置１１ａでは再生ができず確認できないことを明示することができる。これにより、情報処理装置１１ａで変換処理したMP4映像コンテンツが情報処理装置１１ａで再生できない場合、ユーザに変換処理の実行を選択しないことを誘導したり、情報処理装置１１で確認できないことを承知の上でユーザに変換処理の実行を選択させたりすることができるので、ユーザの混乱を避けることができる。
【０１２２】
次に、Blu-ray Discである光ディスク２１ｂを例に挙げて、変換処理により生成されるMP4映像コンテンツのデータ構造について説明する。
【０１２３】
図１０は、光ディスクに記録されているTS映像コンテンツのデータ構造と変換処理後のMP4映像コンテンツのデータ構造との概要を示す図である。
【０１２４】
図１０に示すようにBlu-ray Discである光ディスク２１ｂには、TS映像コンテンツが記録されており、TS映像コンテンツには、Clip AV Stream (TS形式)で示されるTSストリーム２１１ａの他、メニュー等（Titles/Menus、BD-J Objects、Play list、Clip Information）のナビゲーション情報が含まれている。Clip AV Stream (TS形式)は、AACS等の暗号技術で暗号化されている。また、光ディスク２１ｂにはエクスポート用コンテンツに用いることができる追加データ（Data for Exportファイル）が含まれている。なお、Data for Exportファイルは、ネットワーク６５を介して接続できるサーバ６１に格納される場合もある。後述するが、光ディスク２１ｂにData for Exportファイルがない場合には、情報処理装置１１ａはサーバ６１からData for Exportファイルを取得するとしてもよい。
【０１２５】
一方、TS映像コンテンツがMP4に変換されたMP4映像コンテンツには、最低限のナビゲーション情報としてData for Exportファイルから生成されたManifestファイルと、MP4 AV Streamとが含まれている。MP4 AV Streamは、共通暗号方式（Common Encryption）で暗号化されている。
【０１２６】
ここで、Data for ExportファイルからManifestファイルを生成する処理について説明する。
【０１２７】
図１１は、Data for ExportファイルからManifestファイルを生成する処理の一例を説明するための図である。図１１では、一例として、Common File Formatと互換性のあるStandard File Format(SFF）で処理（SFF Export処理）される場合の一例が示されている。ここで、SFFはMP4形式の一方式である。換言すると、MP4形式には、W3C、3GAP、DLE、SFFなどいろいろな方式があり、SFFはその一つである。
【０１２８】
図１１から分かるように、MP4映像コンテンツ（MP4 Data)は、オーディオや字幕に関してData for Exportファイル内に含まれるAAC AudioやSMPTE Text Subtitle用いて生成される。
【０１２９】
なお、上述したように、光ディスク２１ｂにData for Exportファイルがない場合には、情報処理装置１１ａはサーバ６１からData for Exportファイルを取得した上で、上記の処理を行えばよい。
【０１３０】
［光ディスクの詳細］
ここで、Blu-ray Discなどの光ディスクについて詳細に説明する。
【０１３１】
まず、図１２を用いて、Blu-ray Discなどの光ディスク２１ｂに格納されているClip AV Stream (TS形式)で示されるTSストリーム（MPEG2-TS方式のコンテンツ）のデータ構造について説明する。
【０１３２】
図１２は、光ディスクに格納されているMPEG2-TS方式のコンテンツの構造の一例を模式的に示す図である。光ディスクには、コンテンツとしてStream Fileが格納される。図９に示す例では、光ディスクにはStream Fileが１つしか格納されていないが、複数格納されていてもよい。またここでは、Stream FileはXXXXX.M2TSというファイル名で記録されている。XXXXXには、番号が記載される。複数のコンテンツが格納される場合には、この番号によって、それらのコンテンツを個別に管理することが可能である。
【０１３３】
Stream Fileは、それぞれ６１４４ＢｙｔｅｓのAligned Unitと呼ばれる複数の単位に区分される。Aligned Unitは暗号化の単位である。なお、Stream Fileのデータ量は、必ずしも６１４４Ｂｙｔｅｓの倍数にならない可能性がある。６１４４Ｂｙｔｅｓの倍数にならない場合には、コンテンツの末尾にNULL Dataを格納する等の方法によって、Stream Fileのデータ量を６１４４Ｂｙｔｅｓの倍数にすることが望ましい。
【０１３４】
次に、図１３を用いて、各Aligned Unitの復号方法について説明する。
【０１３５】
図１３は、各Aligned Unitの復号方法を説明するための図である。光ディスク上のコンテンツは、ユニット鍵Ｋｕと呼ばれるデータを用いて暗号化されている。ここで、各Aligned Unitの６１４４  Ｂｙｔｅｓのデータは、先頭の１６Ｂｙｔｅｓと、残る６１２８Ｂｙｔｅｓとに分離される。先頭の１６Ｂｙｔｅｓを対象として、先述したユニット鍵Ｋｕを用いて、AES暗号方式の復号処理であるAES_Eを行う。こうして得られたデータと、その先頭の１６Ｂｙｔｅｓとに対する排他的論理和（XOR）を行う。次に、その排他的論理和によって得られたデータを鍵として用いて、残る６１２８Ｂｙｔｅｓ分のデータを、AES-DCBCモードで復号する。こうして得られた平文のデータに、先頭の１６Ｂｙｔｅｓのデータを付け加えることで、６１４４Ｂｙｔｅｓ分の平文が得られる。
【０１３６】
次に、図１４を用いて、Aligned Unitの復号で用いるユニット鍵を取得する際の処理について説明する。
【０１３７】
図１４は、ユニット鍵Kuを取得する処理を説明するための図である。ここでは、ユニット鍵Ｋｕは、暗号化された状態で光ディスクに格納されている。
【０１３８】
光ディスク上にはMedia Key Block（図１４でMKB）と呼ぶデータが格納されている。格納されているＭＫＢを読み出して、再生プレイヤである情報処理装置１１ａが保持するデバイス鍵を用いてそのＭＫＢを処理することにより、メディア鍵Kmを生成する。ここで、ＭＫＢは、不正な再生プレイヤが保持するデバイス鍵では正しいメディア鍵が取得できないように予め生成されている。
【０１３９】
さらに、ディスク上には特殊な領域にVolume IDが格納されている。再生プレイヤである情報処理装置１１ａは、Volume IDを読み出して、読み出したVolume IDに対して、メディア鍵KmとHash関数とを用いた処理を行うことにより、メディアユニーク鍵Kmuを取得する。メディアユニーク鍵Ｋｍｕを取得するためには、Volume IDの取得が必須である。その理由は、通常手段では複製が極めて困難なVolume IDによって、光ディスクの単純なbit-by-bitコピーを防止するためである。
【０１４０】
次に、情報処理装置１１ａは、暗号化タイトル鍵Emu(Ku XOR UR)を読み出す。情報処理装置１１ａ、読み出した暗号化タイトル鍵Emu(Ku XOR UR)を、メディアユニーク鍵Ｋｍｕを用いて復号することによって変形ユニット鍵（Ku XOR UR）を取得する。
【０１４１】
さらに、情報処理装置１１ａは、光ディスク上から利用条件（Usage Rule）を読み出す。情報処理装置１１ａは、この利用条件（Usage Rule）をHash関数にかけることによって得られる値URと前述の変形ユニット鍵（Ku XOR UR）との排他的論理和（XOR）を行うことによってユニット鍵Ｋｕを得る。このようにユニット鍵Ｋｕを取得するためには、利用条件（Usage Rule）の取得が必須である。その理由は、光ディスクにおける利用条件（Usage Rule）の改竄を防止するためである。
【０１４２】
次に、図１５を用いて、例えばMP4 AV StreamなどMP4形式のコンテンツ（MP4映像コンテンツ）のデータ構造について説明する。
【０１４３】
図１５は、MP4形式のコンテンツの構造の一例を模式的に示す図である。
【０１４４】
図１５に示すように、MP4形式のコンテンツでは先頭部分に再生時に必要となる各種の制御情報を格納するMP4 Meta Dataが配置されている。MP4 Meta Dataの中には以下に続く各mboxの記録位置やサイズなどの情報が格納されている。
【０１４５】
mboxには、図１５でmbox (video)と表記され、映像データが格納されたvideo用のものと図１５でmbox (audio)と表記され、オーディオデータが格納されたaudio用のものとがある。図１５に示すデータ構造ではvideo用に１つのmbox、audio用に１つのmboxが配置されている場合の例が示されているが、これに限るものではない。英語用、日本語用など複数のaudioが記録されるケースなど１つのmbox (video)に対して複数のmbox (audio)が配置されるとしてもよい。また、１つのmbox (video)および１つのmbox (audio)でひとまとめに映像データおよびオーディオデータを配置するだけではなく、映像データとオーディオデータを各々更に細分化して、mbox (video)#1、mbox (audio)#1、mbox (video)#2、mbox (audio)#2といったように混在して配置するとしてもよい。
【０１４６】
さらに、図１５に示すmbox内部では、映像データとオーディオデータとがUnit単位で記録されている。このUnitは、通常、数秒程度の再生時間を持つ映像データやオーディオデータで構成され、Unit単位が映像・音声符号化方式の圧縮単位となる。
【０１４７】
また、MP4形式のコンテンツ（MP4映像コンテンツ）の暗号は、このUnit単位で行われる。より具体的には、MP4形式のコンテンツ（MP4映像コンテンツ）の暗号化を行う場合、Video用のmbox、Audio用のmboxそれぞれに対して一つの鍵が付与され、付与された鍵を用いてAES-CTRモードでUnit単位に暗号化される。一方、MP4形式のコンテンツ（MP4映像コンテンツ）の復号は、Unitそれぞれに対して割り当てられた異なるInitial Vector（IV）と上記の鍵とを用いて行う。なお、Unitそれぞれに対して割り当てられるInitial Vector IVは、MP4形式のコンテンツ（MP4映像コンテンツ）に含まれ、例えば図１１に示すMP4 Meta Dataの内部に格納される。
【０１４８】
［変換制御情報］
次に、図１６および図１７を用いて、本実施の形態における変換制御情報の詳細について説明する。
【０１４９】
図１６は、実施の形態２における変換制御情報の詳細構成の一例を示す図である。
【０１５０】
上述したように、変換制御情報は、暗号化コンテンツの利用条件を示している。図１６では、光ディスク２１に蓄積される変換制御情報が示す利用条件（Usage Rule）のデータ構造が示されている。
【０１５１】
EPNはEncryption Plus Non-assertであり、CCIはCopy Control Informationである。EPNおよびCCIのデータ名で規定されるフラグは、光ディスク２１に記録されている暗号化コンテンツがコピーできるか否かを示す。例えば映画コンテンツの配布に用いられる光ディスク２１では、CCIはCopy Neverが指定されており、コピーすることはできない。
【０１５２】
Image_Constraint_Tokenのデータ名で規定されるフラグは、アナログ出力時にHD画質での出力を認めるか、SD画質のみとするかを指定する。
【０１５３】
Digital_Only_Tokenのデータ名で規定されるフラグは、アナログ出力を認めるか否かを指定する。
【０１５４】
APSTBはAnalog Protection System Trigger Bitsである。APSTBのデータ名で規定されるフラグ、アナログ出力時にアナログコピー制御信号を重畳するか否かを指定する。
【０１５５】
Export_Playableのデータ名で規定されるフラグは、本実施の形態で新たに追加されるデータ項目であり、エクスポート用のコンテンツを情報処理装置１１が再生可能かどうかを示す第１フラグである。このフラグ（第１フラグ）は、1bitのデータで表現される。Export_Playableのデータ名で規定されるフラグ（第１フラグ）に０（ゼロ）が指定された場合、MP4形式に変換したコンテンツを、MP4形式に変換した再生プレイヤでは再生できないこと意味する。一方、Export_Playableのデータ名で規定されるフラグ（第１フラグ）に1が指定された場合、MP4形式に変換したコンテンツを、MP4形式に変換した再生プレイヤで再生できることを意味する。
【０１５６】
ここで、Export_Playableのデータ名で規定されるフラグ（第１フラグ）に０（ゼロ）が指定された場合の再生プレイヤの動作について、再生プレイヤの一例である図９に示す情報処理装置１１ａを例に挙げて説明する。
【０１５７】
まず、情報処理装置１１ａは、光ディスク２１内のTS映像コンテンツであり、暗号化されているMPEG2-TS形式のデータを平文にした上で、多重化を解除し、VideoおよびAudioのエレメンタリストリームを得る。そして、情報処理装置１１ａは、このVideoおよびAudioのエレメンタリストリームのファイルフォーマットを変換し、MP4形式のデータのmboxに格納することでMP4形式の平文コンテンツ（MP4映像コンテンツ）を得る。
【０１５８】
MP4形式への変換処理を行う際、情報処理装置１１ａは、エクスポート認証サーバとして機能するサーバ６１ａとの間で認証プロトコルを用いた通信を行い、光ディスク２１内のTS映像コンテンツのエクスポートを行ってよいかどうかを確認する。なお、情報処理装置１１ａは、サーバ６１ａとの間で通信を行う際には、サーバ６１ａからエクスポート処理を行ってよいか否かを単に確認するだけでなく、MP4形式への変換処理を行うときに用いるVideoおよびAudio用の暗号鍵を取得するとしてもよい。また、図９に示す例では、光ディスク２１に記録される映像コンテンツをエクスポート用の形式に変換（再暗号）を行うとして説明したが、それに限らない。光ディスク２１に記録される映像コンテンツがMPEG2-TS形式からMP4形式への変換の再暗号を不要とするような特殊なデータ構造を用いていれば、当該変換処理（再暗号処理）を行わなくてもよい。
【０１５９】
情報処理装置１１ａは、サーバ６１ａと通信を行い、エクスポートを行ってもよいことを確認した場合には、MP4形式の平文コンテンツ（MP4映像コンテンツ）を再度暗号化した上で記録媒体４０ａまたはモバイル機器５０ａの内蔵メモリにエクスポートする。つまり、情報処理装置１１ａは、Export_Playableが０（ゼロ）を示すことから、変換処理したMP4形式のコンテンツ（MP4映像コンテンツ）を自身（情報処理装置１１ａ）で再生できない。しかし、情報処理装置１１ａは、エクスポートを行ってもよいことから、MP4形式の平文コンテンツ（MP4映像コンテンツ）を再度暗号化した上で記録媒体４０ａまたはモバイル機器５０ａの内蔵メモリにエクスポートする。
【０１６０】
この場合、記録媒体４０ａまたはモバイル機器５０ａの内蔵メモリにエクスポートされたMP4映像コンテンツはそのままでは再生することができない。このため、モバイル機器５０ａは、権利処理サーバにアクセスし、再生権利データを取得することで始めて、内蔵メモリまたは記録媒体４０ａの再生が可能となる。
【０１６１】
次に、Export_Playableのデータ名で規定されるフラグ（第１フラグ）に１が指定された場合の再生プレイヤの動作について、再生プレイヤの一例である図９に示す情報処理装置１１ａを例について説明する。
【０１６２】
まず、情報処理装置１１ａは、上述したように、光ディスク２１内のTS映像コンテンツから、MP4形式の平文コンテンツ（MP4映像コンテンツ）を得る。また、情報処理装置１１ａは、エクスポート認証サーバとして機能するサーバ６１ａと通信を行い、エクスポートを行ってもよいことを確認した場合には、MP4形式の平文コンテンツ（MP4映像コンテンツ）を再暗号化した上で記録媒体４０ａまたはモバイル機器５０ａの内蔵メモリにエクスポートする。
【０１６３】
次に、情報処理装置１１ａは、Export_Playableが１を示すことから、デフォルトの再生権利データとして、変換処理したMP4映像コンテンツを情報処理装置１１ａ内で再生可能であることを示す再生権利情報１１８１を生成する。
【０１６４】
情報処理装置１１ａは、再生権利情報１１８１を生成するために、上述した変換制御情報が示す利用条件を参照して再生権利情報１１８１の利用条件を生成する。例えば、再生権利情報１１８１では、図１６に示す変換制御情報においてデータ名で規定されるCCIやAPSTBなどの値はそのまま継承される。さらに再生権利情報１１８１には、MP4映像コンテンツを再生可能とするための鍵が記録される処理が行われる。この鍵は特定の機器のみで再生可能なように、情報処理装置１１ａが保持するデバイス鍵で暗号化されている。この鍵は、例えば、MP4形式のコンテンツの暗号化に用いるユニット鍵であり、図１４で説明したようにデバイス鍵を用いて暗号化される。そして、暗号化された鍵（ユニット鍵）は再生権利情報の一部として記録される。
【０１６５】
このように生成された変換制御情報は、光ディスクとネットワーク上のサーバの両方に置くことができる。この変換制御情報が、光ディスクおよびネットワーク上のサーバのうちのどちらか一方にしかない場合は、その一方の変換制御情報を使用する。両方にある場合には、ネットワーク上のサーバにある変換制御情報を優先して使用する。
【０１６６】
これにより、情報処理装置１１ａは、ネットワーク上のサーバに、光ディスクを製造した時点と異なる変換制御情報がある場合、ネットワーク上のサーバからそれを取得することができる。
【０１６７】
それにより、情報処理装置１１ａは、ユーザの反応に応じて制御方法を変えたり、光ディスクを製造した時点から一定期間を過ぎた後でも制御方法を変えたりすることが可能になる。また、光ディスクのマスター（スタンパー）を全世界に向けて製造した場合でも、地域毎のサーバの変換制御情報を変えることができるので、情報処理装置１１ａは、各地域に応じた制御を行うことができる。
【０１６８】
図１７は、実施の形態２における変換制御情報の詳細構成の別の一例を示す図である。
【０１６９】
図１７に示す変換制御情報では、図１６に示す変換制御情報に、Check SFF permission serverフラグが追加された例が示されている。
【０１７０】
Check SFF permission serverのデータ名で規定されるフラグは、本実施の形態で新たに追加されるデータ項目であり、サーバ６１で第１フラグの値を確認するか否かを示す第２フラグである。Check SFF permission serverのデータ名で規定されるフラグは、例えば１を示す場合は、Export_Playableが示す値に関わらず、サーバの値を確認に行くことを示す。
【０１７１】
これにより、光ディスクの製造時には、光ディスクが再生禁止であることを示していた（ただし、変換にはサーバでの確認が不要）場合でも、サーバに保持させる変換処理情報の値を変更することより、情報処理装置１１ａは、サーバから取得した変換処理情報により、制御方法を変更することができる。
【０１７２】
［実施の形態の効果等］
以上のように、本実施の形態によれば、コンテンツのファイルフォーマットの変換が正しく行われたか否かを確認する情報処理方法等を実現することができる。
【０１７３】
具体的には、変換制御情報を取得することで、著作権保護観点でのコンテンツ提供者の意図に応じて、MPEG2-TS方式からMP4方式に変換処理したMP4映像コンテンツを、その変換処理を行った情報処理装置で再生できる状態にする。これにより、ユーザは、情報処理装置でMP4方式に変換したコンテンツを再生させることで、その変換処理が正しく行われたことを確認することができる。
【０１７４】
また、コンテンツ提供者が再生を禁止した場合でも、変換制御情報を取得することで、MP4映像コンテンツの再生が不可であるなど、情報処理装置が適切なユーザガイダンスのメッセージを表示することが可能になる。これにより、ユーザは、情報処理装置が変換処理後のMP4映像コンテンツを再生できない場合でも、混乱を避けることができる。
【０１７５】
なお、上述した実施例１では、例えば図９のメッセージ１１９０で示されるように、変換処理したMP4映像コンテンツ（エクスポート用のコンテンツ）の再生が不可であり、変換処理を行うか否かを確認するメッセージを作成すると説明したが、これに限らない。ユーザガイド機能を強化するメッセージであってもよい。この場合の例について図１８を用いて説明する。
【０１７６】
図１８は、実施の形態２におけるユーザガイド機能を強化したメッセージを作成するシステム構成例について示す図である。図９と同様の要素には同一の符号を付しており、詳細な説明は省略する。
【０１７７】
図１８に示すシステム２ｂは、図９に示すシステム１ｂに対して、作成されるメッセージ１１９１が異なる。また、図１８に示すシステム２ｂは、図９に示すシステム１ａに対して、情報処理装置１１ａに接続されるサーバ６１ｂが管理する情報が異なる。すなわち、図１８において、サーバ６１ｂは、Blu-ray MP4変換管理サーバであり、変換制御情報６１０ａに加えて、デジタルコンテンツ小売サイト情報、対応機器、DRM情報などの権利関係情報６１０ｂを管理する。なお、光ディスク２１にデジタルコンテンツ小売サイト情報、対応機器、DRM情報などの権利関係情報が格納されているとしてもよい。
【０１７８】
図１８に示す情報処理装置１１ａは、TS−MP4変換処理を行う前に、メッセージ生成部１１９で、例えばメッセージ１１９１のようなユーザをガイドするメニューを示すメッセージを作成してもよい。
【０１７９】
これにより、例えばメッセージ１１９１として、「本Blu-rayでは、著作権者により変換後のコンテンツは。XX機器とYY機器のみで再生可能です。またAA販売サイトかBB販売サイトにて再生権を取得する必要があります。これでも変換処理を実行しますか？」などユーザガイド機能を強化したメッセージをユーザに提示することができる。
【０１８０】
したがって、図１８に示すシステム２ｂでは、ユーザガイド機能を強化したメッセージにより、変換処理後のMP4映像コンテンツがユーザ自身の所有しない機器しかサポートされていないことや、ユーザが使用していないデジタルコンテンツ小売サイトに誘導されることを、変換処理前に知ることができる。
【０１８１】
また、光ディスク２１の種類によっては、Data for Exportファイル（追加データ）が格納されていない場合がある。この場合には、情報処理装置１１はサーバ６１からData for Exportファイルを取得する。以下、この場合の例について図１９を用いて説明する。
【０１８２】
図１９は、SFF Export処理には、Export用データが必須であることを説明するための図である。図９、図１１および図１８と同様の要素には同一の符号を付しており、詳細な説明は省略する。
【０１８３】
Blu-rayの光ディスクには、UHD Blu-ray Disc、New Blu-ray Disc、Legacy Blu-ray Discの種別がある。図１９に示す光ディスク２１ａは、UHD Blu-ray discであり、 BDMV（Blu-ray Disk Movie）のファイルに加え、Export用データファイルが蓄積されている。ここで、BDMVは、光ディスクメディアで利用されるアプリケーションフォーマットの一種である。光ディスク２１ａは、BDMVでTS映像コンテンツを記録する。Export用データファイルは、上述したData for Exportファイルであり、エクスポート用コンテンツに用いることができる追加データである。また、光ディスク２１ｃは、Legacy Blu-ray Discすなわち市場に発売済みのBlu-ray discであり、BDMVのファイルのみが蓄積され、Export用データファイルがない。光ディスク２１ｂは、New Blu-ray discであり、BDMVのファイルに加えExport用データファイルが蓄積されている。
【０１８４】
Blu-ray copyは、Blu-rayディスクの形式でHDDに記録する方法であり、図１９では、光ディスク２１ａ〜光ディスク２１ｃに含まれるTS映像ストリームがそのまま蓄積容量部１１１ａに記憶されている。SFF変換とは、MP4形式の一つであるSFF形式に変換して、外部の記録媒体に記録する方法であり、図１９では、蓄積容量部１１１ａに記憶されたTS映像ストリームをMP4形式（SFF形式）に変換して、蓄積容量部１１１ｂ、モバイル機器５０ａの内蔵メモリまたは記録媒体４０ａにエクスポートされている（SFF Export処理）。
【０１８５】
ここで、図１１を用いて説明したように、SFF Export処理を行うためには、エクスポート用コンテンツであるSFF（AV only)に用いることのできるAACオーディオや字幕等が必要になる。
【０１８６】
光ディスク２１ｂには、Export用データファイルであるData for Exportファイルがないため、Export Management Serverなどのサーバ６１に光ディスク２１ｂのExport用データファイルを格納する必要がある。そうすることで、情報処理装置１１ａがこのサーバ６１から光ディスク２１ｂのData for Exportファイルを取得することで、SFF変換を行うことができる。
【０１８７】
つまり、情報処理装置１１ａは、さらに、光ディスク２１ｂに、エクスポート用コンテンツに用いることができる追加データ（Data for Export）が蓄積されていない場合、外部のネットワーク６５に存在するサーバ６１から光ディスク２１ｂの追加データ（Data for Exportファイル）を取得すればよい。そして、情報処理装置１１ａは、取得した追加データを、エクスポート用のコンテンツを解説するためのメタデータ（Manifestファイル）に変換すればよい。
【０１８８】
以上、本開示の一つまたは複数の態様に係る情報処理方法、情報処理装置および記録媒体について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。例えば、以下のような場合も本開示に含まれる。
【０１８９】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１９０】
（２）上記の各装置を構成する構成要素の一部または全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０１９１】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０１９２】
（４）本開示は、上記に示す方法であるとしてもよい。また、これらの方法をコンピュータにより実現するコンピュータプログラムであるとしてもよいし、前記コンピュータプログラムからなるデジタル信号であるとしてもよい。
【０１９３】
（７）また、本開示は、前記コンピュータプログラムまたは前記デジタル信号をコンピュータで読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc）、半導体メモリなどに記録したものとしてもよい。また、これらの記録媒体に記録されている前記デジタル信号であるとしてもよい。
【０１９４】
（５）また、本開示は、前記コンピュータプログラムまたは前記デジタル信号を、電気通信回線、無線または有線通信回線、インターネットを代表とするネットワーク、データ放送等を経由して伝送するものとしてもよい。
【０１９５】
（６）また、本開示は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０１９６】
（７）また、前記プログラムまたは前記デジタル信号を前記記録媒体に記録して移送することにより、または前記プログラムまたは前記デジタル信号を、前記ネットワーク等を経由して移送することにより、独立した他のコンピュータシステムにより実施するとしてもよい。
【０１９７】
（８）上記実施の形態及び上記変形例をそれぞれ組み合わせるとしてもよい。
【０１９８】
（９）また、上記態様において説明された技術は、例えば、以下のクラウドサービスの類型において実現されうる。しかし、上記態様において説明された技術が実現される類型はこれに限られるものでない。
【産業上の利用可能性】
【０１９９】
本開示は、情報処理方法、情報処理装置および記録媒体に利用でき、特に、MPEG2-TS方式からMP4方式に変換処理など、記録媒体に記録されたコンテンツの形式をエクスポート用の形式に変換するための情報処理方法、情報処理装置および記録媒体に利用できる。
【符号の説明】
【０２００】
１，１ａ，１ｂ，２，２ａ，２ｂ  システム
１０，１０ａ，１０ｂ，１１，１１ａ  情報処理装置
２０，２０ａ，２０ｂ，２１，２１ａ，２１ｂ，２１ｃ  光ディスク
３０  映像機器
４０，４０ａ，４０ｂ  記録媒体
５０，５０ａ，５０ｂ  モバイル機器
６０，６０ａ，６１，６１ａ，６１ｂ  サーバ
６０ｂ  権利処理サーバ
６０ｃ，６０ｄ，６０ｅ  デジタルコンテンツ小売サイト
６５  ネットワーク
１０１  変換部
１０２，１１１ａ，１１１ｂ，１１２  蓄積容量部
２００ａ，２００ｂ  TS映像コンテンツ
１０３  デバイス鍵保持部
１０４，１１４  読み出し部
１０５  復号部
１０６，１１６  制御部
１０７，１１７  出力部
１１８  生成部
１１９  メッセージ生成部
２０１ａ，２０２ｂ  MP4映像コンテンツ
２１１ａ，２１１ｂ  TSストリーム
２１０ａ，２１０ｂ，６１０ａ  変換制御情報
２１１ｃ  UHD MP4映像コンテンツ
２１１ｄ  FHD MP4映像コンテンツ
６１０ｂ  権利関係情報
１１８１  再生権利情報
１１９０，１１９１  メッセージ
【図１】
0006489533.tif 000002
【図２】
0006489533.tif 000003
【図３】
0006489533.tif 000004
【図４】
0006489533.tif 000005
【図５】
0006489533.tif 000006
【図６】
0006489533.tif 000007
【図７】
0006489533.tif 000008
【図８】
0006489533.tif 000009
【図９】
0006489533.tif 000010
【図１０】
0006489533.tif 000011
【図１１】
0006489533.tif 000012
【図１２】
0006489533.tif 000013
【図１３】
0006489533.tif 000014
【図１４】
0006489533.tif 000015
【図１５】
0006489533.tif 000016
【図１６】
0006489533.tif 000017
【図１７】
0006489533.tif 000018
【図１８】
0006489533.tif 000019
【図１９】
0006489533.tif 000020